(57)【要約】【課題】支柱本体の下端部を固定するための構造が外部から視認されないようにする。【解決手段】支柱装置は、固定具１１と、固定具１１に固定される支柱本体１２と、支柱本体１２の外周を取り囲むカバー部材１３とを備える。支柱本体１２は、固定具１１の縦壁部２２，２３の外側面に下端部が固定される前後一対の第１壁部３１，３２と、両第１壁部を互いに接続する左右一対の第２壁部３３，３４とを有する。カバー部材１３は、第１壁部３１，３２をその下端部を含む所定範囲に亘って外側から覆う前後一対の第１遮蔽壁部４１，４２と、第２壁部３３，３４をその下端部を含む所定範囲に亘って外側から覆う左右一対の第２遮蔽壁部４３，４４とを有する。第１壁部３１，３２と第１遮蔽壁部４１，４２との間には第１スペーサ（３５ａ，３６ａ）が配置され、第２壁部３３，３４と第２遮蔽壁部４３，４４との間には第２スペーサ（５３，５４）が配置される。【選択図】図７
2018031126.tif 000002
【特許請求の範囲】
【請求項１】
デッキ構造の上側部材と下側部材との間に設けられる支柱装置であって、
前記下側部材に固定される固定具と、
上下方向に延びるように設けられ、下端部が前記固定具に固定されかつ上端部が前記上側部材に固定される支柱本体と、
前記支柱本体の外周を取り囲む中空パイプ状のカバー部材と、
前記カバー部材と前記支柱本体との間に配置されるスペーサとを備え、
前記固定具は、前記下側部材の上面に沿うベース壁部と、ベース壁部の前辺部および後辺部から上方に立ち上がる前後一対の縦壁部とを有し、
前記支柱本体は、前記縦壁部の外側面に下端部が固定される前後一対の第１壁部と、両第１壁部の左右の側縁どうしを接続する左右一対の第２壁部とを有し、
前記カバー部材は、前記第１壁部をその下端部を含む上下方向の所定範囲に亘って外側から覆う前後一対の第１遮蔽壁部と、前記第２壁部をその下端部を含む上下方向の所定範囲に亘って外側から覆う左右一対の第２遮蔽壁部とを有し、
前記スペーサは、前記第１壁部と前記第１遮蔽壁部との間に配置される第１スペーサと、前記第２壁部と前記第２遮蔽壁部との間に配置される第２スペーサとを有する、ことを特徴とするデッキ用支柱装置。
【請求項２】
請求項１に記載のデッキ用支柱装置において、
前記固定具の縦壁部は、前記支柱本体における前記一対の第２壁部の内面間距離とほぼ同一の幅寸法を有するように形成されている、ことを特徴とするデッキ用支柱装置。
【請求項３】
請求項１または２に記載のデッキ用支柱装置において、
前記支柱本体の第１壁部の各下端部が、前記固定具の縦壁部に締結部材を介して固定され、
前記締結部材は、その締結状態において前記第１壁部から前記第１遮蔽壁側に突出する頭部を有し、当該頭部により前記第１スペーサが構成されている、ことを特徴とするデッキ用支柱装置。
【請求項４】
請求項１〜３のいずれか１項に記載のデッキ用支柱装置において、
前記スペーサは、前記第１スペーサよりも上側の位置において前記第１壁部と前記第１遮蔽壁部との間に配置される第３スペーサを有し、
前記カバー部材は、前記第１遮蔽壁部と前記第３スペーサと前記第１壁部とを互いに圧着するように締結されるカバー用締結部材を介して前記支柱本体に固定されている、ことを特徴とするデッキ用支柱装置。
【請求項５】
請求項１〜４のいずれか１項に記載のデッキ用支柱装置において、
前記デッキ構造は、前記下側部材として地盤に設けられる土台部と、前記上側部材として前記土台部よりも上方に設けられるフレーム材と、フレーム材の上面に敷設されるパネル材とを有し、
前記支柱装置は、前記フレーム材を支持するために当該フレーム材と前記土台部との間に設けられるものである、ことを特徴とするデッキ用支柱装置。
【請求項６】
請求項１〜４のいずれか１項に記載のデッキ用支柱装置において、
前記デッキ構造は、水平方向に敷設される前記下側部材としてのパネル材と、前記上側部材として前記パネル材よりも上方に設けられる手すり部材とを有し、
前記支柱装置は、前記手すり部材を支持するために当該手すり部材と前記パネル材との間に設けられるものである、ことを特徴とするデッキ用支柱装置。
【請求項７】
デッキ構造の上側部材と下側部材との間に設けられる支柱装置であって、
前記下側部材に固定される固定具と、
上下方向に延びるように設けられ、下端部が前記固定具に固定されかつ上端部が前記上側部材に固定される支柱本体と、
前記支柱本体の外周を取り囲む中空パイプ状のカバー部材と、
前記カバー部材と前記支柱本体との間に配置されるスペーサとを備え、
前記固定具は、前記下側部材の上面に沿うベース壁部と、ベース壁部の前辺部および後辺部から上方に立ち上がる前後一対の縦壁部とを有し、
前記支柱本体は、前記縦壁部の内側面に下端部が固定される前後一対の第１壁部と、両第１壁部の左右の側縁どうしを接続する左右一対の第２壁部とを有し、
前記カバー部材は、前記固定具の縦壁部とその上側に位置する前記支柱本体の第１壁部とを上下方向の所定範囲に亘って外側から覆う前後一対の第１遮蔽壁部と、前記支柱本体の第２壁部をその下端部を含む上下方向の所定範囲に亘って外側から覆う左右一対の第２遮蔽壁部とを有し、
前記スペーサは、前記第１壁部と前記第１遮蔽壁部との間に配置される第１スペーサと、前記第２壁部と前記第２遮蔽壁部との間に配置される第２スペーサとを有する、ことを特徴とするデッキ用支柱装置。
【発明の詳細な説明】
【技術分野】
【０００１】
本発明は、デッキ構造に用いられる支柱装置に関する。
【背景技術】
【０００２】
テラスやバルコニー等のデッキ構造に用いられる支柱装置の一例として、下記特許文献１のものが知られている。この特許文献１の支柱装置は、レベル調整機能付きの支柱本体（調整柱）と、支柱本体の外周を取り囲むように取り付けられるカバー部材（囲柱）とを備えており、床板用の下地（根太）を下から支持するために根太と土台との間に設置されている。
【０００３】
支柱本体は、その下端部にゴム製の固定基部を有している。固定基部はビスにより直接土台に固定されている。
【先行技術文献】
【特許文献】
【０００４】
【特許文献１】特開２００１−００３４４７号公報
【発明の概要】
【発明が解決しようとする課題】
【０００５】
上記特許文献１のように、支柱本体の下端部（固定基部）をゴム製とし、しかもこれをビスにより直接土台に固定した場合には、支柱本体の取付強度が十分に得られないおそれがある。このため、支柱本体の下端部を剛体により構成し、当該下端部をＬ字金具等の固定具を用いて土台に固定することが提案される。しかしながら、このように固定具を介して支柱本体の下端部を土台に固定した場合には、支柱本体をカバー部材で覆った後においても固定具がカバー部材の外側に露出することがあり、それによって見栄えが悪化することが懸念される。
【０００６】
本発明は、上記のような事情に鑑みてなされたものであり、支柱本体の下端部を固定するための構造が外部から視認されないように対策された意匠性に優れたデッキ用支柱装置を提供することを目的とする。
【課題を解決するための手段】
【０００７】
前記課題を解決するためのものとして、本発明は、デッキ構造の上側部材と下側部材との間に設けられる支柱装置であって、前記下側部材に固定される固定具と、上下方向に延びるように設けられ、下端部が前記固定具に固定されかつ上端部が前記上側部材に固定される支柱本体と、前記支柱本体の外周を取り囲む中空パイプ状のカバー部材と、前記カバー部材と前記支柱本体との間に配置されるスペーサとを備え、前記固定具は、前記下側部材の上面に沿うベース壁部と、ベース壁部の前辺部および後辺部から上方に立ち上がる前後一対の縦壁部とを有し、前記支柱本体は、前記縦壁部の外側面に下端部が固定される前後一対の第１壁部と、両第１壁部の左右の側縁どうしを接続する左右一対の第２壁部とを有し、前記カバー部材は、前記第１壁部をその下端部を含む上下方向の所定範囲に亘って外側から覆う前後一対の第１遮蔽壁部と、前記第２壁部をその下端部を含む上下方向の所定範囲に亘って外側から覆う左右一対の第２遮蔽壁部とを有し、前記スペーサは、前記第１壁部と前記第１遮蔽壁部との間に配置される第１スペーサと、前記第２壁部と前記第２遮蔽壁部との間に配置される第２スペーサとを有する、ことを特徴とするものである（請求項１）。
【０００８】
本発明によれば、支柱本体の第１壁部の下端部が固定具の縦壁部の外側面に固定されるので、支柱本体の下端部の内側に固定具を隠蔽しながら、支柱本体を固定具に十分な強度で固定することができる。加えて、カバー部材の各壁部（第１遮蔽壁部および第２遮蔽壁部）が、支柱本体の各壁部（第１壁部および第２壁部）をその下端部を含む上下方向の所定範囲に亘って外側から覆うので、固定具およびこれに固定される支柱本体の下端部が外部から視認されるのを防止でき、支柱装置の意匠性を向上させることができる。
【０００９】
また、第１壁部と第１遮蔽壁部との間に第１スペーサが配置されるので、当該第１スペーサが第１壁部と第１遮蔽壁部との間の隙間寸法を一定に維持する役割を果たし、支柱本体に対するカバー部材の前後方向の位置ずれが防止される。さらに、第２壁部と第２遮蔽壁部との間に第２スペーサが配置されるので、当該第２スペーサが第２壁部と第２遮蔽壁部との間の隙間寸法を一定に維持する役割を果たし、支柱本体に対するカバー部材の左右方向の位置ずれが防止される。この結果、カバー部材は支柱本体に対し前後方向および左右方向のいずれにも位置ずれし難くなり、カバー部材と支柱本体との一体感が高められる。したがって、固定具を隠蔽できる前記の効果と相俟って、支柱装置およびこれを含むデッキ構造の商品性をより高めることができる。
【００１０】
好ましくは、前記固定具の縦壁部は、前記支柱本体における前記一対の第２壁部の内面間距離とほぼ同一の幅寸法を有するように形成される（請求項２）。
【００１１】
この構成によれば、固定具の縦壁部が支柱本体の内部に収容された状態において、支柱本体の一対の第２壁部は、それぞれ縦壁部の左右の側縁と当接または近接する位置に配置される。これにより、支柱本体が固定具に対し左右方向に位置ずれし難くなるので、支柱本体の第１壁部を固定具の縦壁部に固定する際には、支柱本体と固定具との位置関係を一定に維持したまま両者を容易に固定することができ、支柱本体の取付位置を安定化させることができる。
【００１２】
好ましくは、前記支柱本体の第１壁部の各下端部が、前記固定具の縦壁部に締結部材を介して固定され、前記締結部材は、その締結状態において前記第１壁部から前記第１遮蔽壁側に突出する頭部を有し、当該頭部により前記第１スペーサが構成される（請求項３）。
【００１３】
この構成によれば、締結部材の頭部が、第１壁部と第１遮蔽壁部との間の隙間寸法を一定に維持するスペーサとして兼用されるので、支柱本体に対するカバー部材の位置決めを少ない部品点数で図ることができ、支柱装置のコストを削減することができる。
【００１４】
好ましくは、前記スペーサは、前記第１スペーサよりも上側の位置において前記第１壁部と前記第１遮蔽壁部との間に配置される第３スペーサを有し、前記カバー部材は、前記第１遮蔽壁部と前記第３スペーサと前記第１壁部とを互いに圧着するように締結されるカバー用締結部材を介して前記支柱本体に固定される（請求項４）。
【００１５】
この構成によれば、第１スペーサよりも上側の位置に第３スペーサが取り付けられるので、カバー部材が支柱本体に対し前後方向に位置ずれするのをより効果的に防止することができる。さらに、第１遮蔽壁部と第３スペーサと第１壁部とを互いに圧着するようにカバー用締結部材が締結され、この締結部材を介してカバー部材が支柱本体に固定されるので、前後および左右方向だけでなく上下方向にもカバー部材が位置ずれしなくなり、カバー部材と支柱本体との一体感をより高めることができる。
【００１６】
本発明の支柱装置が適用可能なデッキ構造は特にその種類を問わないが、例えば、デッキ構造は、前記下側部材として地盤に設けられる土台部と、前記上側部材として前記土台部よりも上方に設けられるフレーム材と、フレーム材の上面に敷設されるパネル材とを有するものとすることができる。この場合、前記支柱装置は、前記フレーム材を支持するために当該フレーム材と前記土台部との間に設けることができる（請求項５）。
【００１７】
前記デッキ構造は、水平方向に敷設される前記下側部材としてのパネル材と、前記上側部材として前記パネル材よりも上方に設けられる手すり部材とを有するものであってもよい。この場合、前記支柱装置は、前記手すり部材を支持するために当該手すり部材と前記パネル材との間に設けることができる（請求項６）。
【００１８】
また、本発明は、デッキ構造の上側部材と下側部材との間に設けられる支柱装置であって、前記下側部材に固定される固定具と、上下方向に延びるように設けられ、下端部が前記固定具に固定されかつ上端部が前記上側部材に固定される支柱本体と、前記支柱本体の外周を取り囲む中空パイプ状のカバー部材と、前記カバー部材と前記支柱本体との間に配置されるスペーサとを備え、前記固定具は、前記下側部材の上面に沿うベース壁部と、ベース壁部の前辺部および後辺部から上方に立ち上がる前後一対の縦壁部とを有し、前記支柱本体は、前記縦壁部の内側面に下端部が固定される前後一対の第１壁部と、両第１壁部の左右の側縁どうしを接続する左右一対の第２壁部とを有し、前記カバー部材は、前記固定具の縦壁部とその上側に位置する前記支柱本体の第１壁部とを上下方向の所定範囲に亘って外側から覆う前後一対の第１遮蔽壁部と、前記支柱本体の第２壁部をその下端部を含む上下方向の所定範囲に亘って外側から覆う左右一対の第２遮蔽壁部とを有し、前記スペーサは、前記第１壁部と前記第１遮蔽壁部との間に配置される第１スペーサと、前記第２壁部と前記第２遮蔽壁部との間に配置される第２スペーサとを有する、ことを特徴とするものである（請求項７）。
【００１９】
本発明によれば、前述の発明と同様に、支柱本体の下端部を固定する固定具が外部から視認されるのを回避でき、支柱装置の意匠性を向上させることができる。
【発明の効果】
【００２０】
以上説明したように、本発明によれば、支柱本体の下端部を固定するための構造が外部から視認されないように対策された意匠性に優れたデッキ用支柱装置を提供することができる。
【図面の簡単な説明】
【００２１】
【図１】本発明の第１実施形態にかかるデッキ構造を示す斜視図である。
【図２】上記デッキ構造の側面断面図である。
【図３】上記デッキ構造から一部の部品を取り外した図１相当図である。
【図４】上記デッキ構造の支柱装置を単独で示す斜視図である。
【図５】上記支柱装置を前後方向に切断した断面図である。
【図６】上記支柱装置を左右方向に切断した断面図である。
【図７】上記支柱装置の分解斜視図である。
【図８】図７の状態から一部の部品を組み付けた一部分解斜視図である。
【図９】図４の支柱装置の上端にフレーム材を組み付けた状態を示す斜視図である。
【図１０】支柱装置の第２実施形態を示す図８相当図である。
【図１１】本発明の第３実施形態にかかるデッキ構造を示す斜視図である。
【図１２】上記デッキ構造の支柱装置の構造を示す分解斜視図である。
【図１３】上記支柱装置を前後方向に切断した断面図である。
【発明を実施するための形態】
【００２２】
＜第１実施形態＞
（１）デッキ構造の全体構成
図１および図２は、本発明の第１実施形態にかかるデッキ構造を示す斜視図および側面断面図である。本図に示されるデッキ構造は、建物の一階部分の側壁Ｗから屋外側（庭）に突出するように設けられ、いわゆるガーデンテラスとして利用されるものである。なお、以下の説明において「前」「後」「左」「右」とは、側壁Ｗと直交しかつ屋外を向く方向を「前」、その反対側（屋内側）を「後」とした場合のものである。
【００２３】
デッキ構造は、複数の土台部２と、土台部２の上方に設けられた複数のフレーム材３（図２）と、各フレーム材３を支持するために土台部２とフレーム材３との間に設けられた複数の支柱装置１と、フレーム材３の上面に敷設された複数のパネル材４と、パネル材４の敷設領域の外周を囲むように各フレーム材３に取り付けられた複数の幕板材５とを備えている。なお、土台部２は請求項にいう「下側部材」に相当し、フレーム材３は請求項にいう「上側部材」に相当する。
【００２４】
図３は、図１からパネル材４および幕板材５を取り外した状態を示している。この図３および先の図１および図２に示すように、複数の支柱装置１は、前後および左右に一定の間隔を空けて互いに離間するように配置されている。なお、当実施形態では、前後２×左右４の合計８箇所に分布するように支柱装置１が配置されている。
【００２５】
複数の土台部２は、各支柱装置１を支持するためのコンクリート製ブロックであり、各支柱装置１の位置に対応する地盤Ｅ上の８箇所にそれぞれ打設されている。
【００２６】
複数のフレーム材３は、複数の支柱装置１により下から支持されており、左右方向に一定の間隔を空けた状態でそれぞれ前後方向に延びるように配置されている。フレーム材３は、上述した支柱装置１の分布に対応して合計４つ設けられ、各フレーム材３は、前後方向に隣接する一対の支柱装置１の各上端部どうしを架け渡すように取り付けられている。なお、各フレーム材３の前端面に取り付けられた符号６で示す部材と、最も左側または右側のフレーム材３の側面に取り付けられた符号７で示す部材とは、それぞれ幕板材５を固定するためのブラケットである。
【００２７】
複数のパネル材４は、複数のフレーム材３により下から支持されており、間隔をほとんど空けることなく前後に並べられた状態でそれぞれ左右方向に延びるように配置されている。各パネル部材４は、左右方向に並ぶ複数の（４つの）フレーム材３の間を架け渡すように配置され、各フレーム材３の上面に図外の金具を介して固定されている。このようにフレーム材３の上面に敷設された複数のパネル材４により、人が歩行可能な床面が構成されている。
【００２８】
（２）支柱装置の詳細構造
図４は支柱装置１を単独で示す斜視図であり、図５は支柱装置１を前後方向に切断した断面図であり、図６は支柱装置１を左右方向に切断した断面図であり、図７は支柱装置１の分解斜視図であり、図８は図７の状態から一部の部品を組み付けた一部分解斜視図であり、図９は支柱装置１（図４）にフレーム材３を組み付けた状態を示す斜視図である。これらの図に示すように、支柱装置１は、土台部２の上面に固定される固定金具１１と、固定金具１１に下端部が固定される支柱本体１２と、支柱本体１２の外周を取り囲むカバー部材１３とを備えている。なお、固定金具１１は請求項にいう「固定具」に相当する。
【００２９】
固定金具１１は、金属板を折り曲げて形成した側面視コ字状の部材であり、土台部２の上面に沿う矩形板状のベース壁部２１と、ベース壁部２１の前辺部および後辺部から上方に立ち上がる前後一対の縦壁部２２，２３とを一体に有している。ベース壁部２１には複数の挿通孔が形成されており、当該挿通孔を通じて土台部２に螺着される複数のコンクリートビス２５によりベース壁部２１が土台部２に固定されている。
【００３０】
支柱本体１２は、上下方向に延びる断面矩形状の金属製パイプ材（角パイプ）により構成されている。すなわち、支柱本体１２は、前壁部３１と、前壁部３１の後側に位置する後壁部３２と、前壁部３１および後壁部３２の左側の側縁どうしを接続する左壁部３３と、前壁部３１および後壁部３２の右側の側縁どうしを接続する右壁部３４とを一体に有している。前壁部３１および後壁部３２は互いに平行であり、左壁部３３および右壁部３４は互いに平行である。また、前壁部３１および後壁部３２は、左壁部３３および右壁部３４とそれぞれ直交している。言い換えると、支柱本体１２は、ほぼ正方形の中空断面形状を有している。なお、前壁部３１および後壁部３２はそれぞれ請求項にいう「第１壁部」に相当し、左壁部３３および右壁部３４はそれぞれ請求項にいう「第２壁部」に相当する。
【００３１】
支柱本体１２は、その下端の開口部内に固定金具１１を収容した状態で土台部２の上面に配置され、この状態で固定金具１１に固定されている。すなわち、支柱本体１２は、その前壁部３１および後壁部３２の下端部が固定金具１１の縦壁部２２，２３の外側面にそれぞれビス３５，３６で締結されることにより、固定金具１１に固定されている。なお、ビス３５，３６はそれぞれ請求項にいう「締結部材」に相当する。
【００３２】
前壁部３１と後壁部３２との内面間距離（内側面どうしの離間距離）は、一対の縦壁部２２，２３の外面間距離（外側面どうしの離間距離）とほぼ同一に設定されている。このため、上記のように支柱本体１２の下端部が固定金具１１に外挿された状態において、前壁部３１は縦壁部２２の外側面と当接または近接する位置に配置され、後壁部３２は縦壁部２３の外側面と当接または近接する位置に配置される。前壁部３１および後壁部３２には、それぞれビス３５，３６を挿通するための複数の（２つの）挿通孔Ｓが形成されている（図７参照）。そして、各挿通孔Ｓを通じてビス３５，３６が外側から縦壁部２２，２３に螺着されることにより、前壁部３１および後壁部３２が縦壁部２２，２３の外側面に固定されている。
【００３３】
また、左壁部３３と右壁部３４との内面間距離は、固定金具１１の各縦壁部２２，２３の幅寸法とほぼ同一に設定されている。このため、上記のように支柱本体１２の下端部が固定金具１１に外挿された状態において、左壁部３３および右壁部３４は、それぞれ縦壁部２２，２３の左右の側縁と当接または近接する位置に配置される。これにより、支柱本体１２は、ビス３５，３６による締結がなされる前の状態においても、固定金具１１に対し一定の位置に位置決めされるようになっている。
【００３４】
カバー部材１３は、支柱本体１２よりもひと回り大きい上下方向に延びる断面矩形状の樹脂製パイプ材により構成されている。すなわち、カバー部材１３は、前側遮蔽壁部４１と、前側遮蔽壁部４１の後側に位置する後側遮蔽壁部４２と、前側遮蔽壁部４１および後側遮蔽壁部４２の左側の側縁どうしを接続する左側遮蔽壁部４３と、前側遮蔽壁部４１および後側遮蔽壁部４２の右側の側縁どうしを接続する右側遮蔽壁部４４とを一体に有しており、全体として支柱本体１２と相似でかつひと回り大きいほぼ正方形の中空断面を有するように形成されている。なお、前側遮蔽壁部４１および後側遮蔽壁部４２はそれぞれ請求項にいう「第１遮蔽壁部」に相当し、左側遮蔽壁部４３および右側遮蔽壁部４４はそれぞれ請求項にいう「第２遮蔽壁部」に相当する。
【００３５】
カバー部材１３の外周４面、つまり各遮蔽壁部４１〜４４の外側面は、支柱装置１の外表面を構成する面であり、外部から視認される。このため、各遮蔽壁部４１〜４４の外側面は、デッキ構造における支柱装置１以外の部品の外観（例えばパネル材４および幕板材５の外表面）と統一感をもたせるようにデザインされた面とされ、例えば天然木を模した外観を有するように形成されている。
【００３６】
カバー部材１３は、その内部に支柱本体１２を同軸に収容した状態で土台部２の上面に配置される。すなわち、カバー部材１３は、その前側遮蔽壁部４１、後側遮蔽壁部４２、左側遮蔽壁部４３、および右側遮蔽壁部４４が、それぞれ支柱本体１２の前壁部３１、後壁部３２、左壁部３３、および右壁部３４を外側から覆うように（各壁部の外面に対向するように）配置される。前側遮蔽壁部４１、後側遮蔽壁部４２、左側遮蔽壁部４３、および右側遮蔽壁部４４の各下端部は、土台部２の上面に当接する位置まで達している。これにより、支柱本体１２は、その下端部を含む大部分が外部から視認されないようにカバー部材１３によって覆い隠される。
【００３７】
ただし、支柱本体１２の上端部に限っては、カバー部材１３から露出するようになっている。すなわち、カバー部材１３の上下方向の長さ寸法は支柱本体１２のそれよりも若干短くされており、その寸法差Ｘ（図４〜図６参照）の分だけ、支柱本体１２の上端部がカバー部材１３から露出している。この露出した支柱本体１２の上端部には、上述したデッキ構造のフレーム材３が図外のビスを用いて締結固定される。より詳しくは、図９に示すように、フレーム材３の下面には一対のフランジ部３ａ，３ｂが形成されており、このフランジ部３ａ，３ｂの間に支柱本体１２の上端部を挟み込むようにフレーム材３が配置される。そしてこの状態で、フランジ部３ａとこれと対面する支柱本体１２の壁部（左側遮蔽壁部４３）とがビスにより固定されるとともに、フランジ部３ｂとこれと対面する支柱本体１２の壁部（右側遮蔽壁部４４）とがビスにより固定される。
【００３８】
図５および図６に示すように、カバー部材１３の前側遮蔽壁部４１、後側遮蔽壁部４２、左側遮蔽壁部４３、および右側遮蔽壁部４４は、それぞれ支柱本体１２の前壁部３１、後壁部３２、左壁部３３、および右壁部３４から離間するように配置されている。そして、このような位置関係に基づき形成される対向する各壁部の隙間に、それぞれ合成樹脂製の板状体からなる樹脂プレート５１，５２，５３，５４が配置されている。すなわち、図５〜図８に示すように、前壁部３１と前側遮蔽壁部４１との間に樹脂プレート５１が配置され、後壁部３２と後側遮蔽壁部４２との間に樹脂プレート５２が配置され、左壁部３３と左側遮蔽壁部４３との間に樹脂プレート５３が配置され、右壁部３４と右側遮蔽壁部４４との間に樹脂プレート５４が配置されている。
【００３９】
樹脂プレート５３，５４は、支柱本体１２の左壁部３３および右壁部３４の下端部にそれぞれ接着等により取り付けられている。そして、この状態でカバー部材１３が支柱本体１２に外挿されることにより、樹脂プレート５３（５４）が左壁部３３と左側遮蔽壁部４３との間（右壁部３４と右側遮蔽壁部４４との間）に配置される。なお、樹脂プレート５３，５４はそれぞれ請求項にいう「第２スペーサ」に相当する。
【００４０】
樹脂プレート５３，５４の厚みは互いに等しく、かつそれぞれの厚みは、左側遮蔽壁部４３と右側遮蔽壁部４４との内面間距離と、左壁部３３と右壁部３４との外面間距離との差の１／２にほぼ一致する値に設定されている。言い換えると、樹脂プレート５３（５４）の厚みは、カバー部材１３が支柱本体１２に対し両者の軸心を一致させる状態で外挿されたときに左壁部３３と左側遮蔽壁部４３との間（右壁部３４と右側遮蔽壁部４４との間）に形成される隙間寸法とほぼ同一になるように設定されている。このような形状の樹脂プレート５３，５４は、左壁部３３と左側遮蔽壁部４３との間の隙間寸法と、右壁部３４と右側遮蔽壁部４４との間の隙間寸法とを均等に維持するスペーサとして機能し、支柱本体１２に対するカバー部材１３の左右方向位置を安定化させる役割を果たす。
【００４１】
樹脂プレート５１，５２は、支柱本体１２の前壁部３１および後壁部３２の上端部にそれぞれ接着等により取り付けられている。そして、この状態でカバー部材１３が支柱本体１２に外挿されることにより、樹脂プレート５１（５２）が前壁部３１と前側遮蔽壁部４１との間（後壁部３２と後側遮蔽壁部４２との間）に配置される。このとき、樹脂プレート５１（５２）の上辺の高さは、前側遮蔽壁部４１（後側遮蔽壁部４２）の上端とほぼ一致する。言い換えると、樹脂プレート５１（５２）は、前壁部３１（後壁部３２）の最上端位置から支柱本体１２の露出代Ｘ（図４〜図６参照）の分だけ下がった位置に取り付けられており、これによってカバー部材１３から樹脂プレート５１（５２）が露出しないようにされている。なお、樹脂プレート５１，５２はそれぞれ請求項にいう「第３スペーサ」に相当する。
【００４２】
樹脂プレート５１，５２の厚みは互いに等しく、かつそれぞれの厚みは、前側遮蔽壁部４１と後側遮蔽壁部４２との内面間距離と、前壁部３１と後壁部３２との外面間距離との差の１／２にほぼ一致する値に設定されている。言い換えると、樹脂プレート５１（５２）の厚みは、カバー部材１３が支柱本体１２に対し両者の軸心を一致させる状態で外挿されたときに前壁部３１と前側遮蔽壁部４１との間（後壁部３２と後側遮蔽壁部４２との間）に形成される隙間寸法とほぼ同一になるように設定されている。このような形状の樹脂プレート５１，５２は、前壁部３１と前側遮蔽壁部４１との間の隙間寸法と、後壁部３２と後側遮蔽壁部４２との間の隙間寸法とを均等に維持するスペーサとして機能し、支柱本体１２に対するカバー部材１３の前後方向位置を安定化させる役割を果たす。
【００４３】
カバー部材１３は、樹脂プレート５１，５２が取り付けられる箇所に外側から締結されるビス４５，４６により支柱本体１２に固定されている。すなわち、カバー部材１３の前側遮蔽壁部４１の上端部とその裏側の樹脂プレート５１とを貫通するようにカバー部材１３の外側からビス４５が締結されるとともに、そのビス４５の先端が支柱本体１２の前壁部３１まで達することにより、前側遮蔽壁部４１と樹脂プレート５１と前壁部３１との３者が互いに圧着され、これによって前側遮蔽壁部４１が前壁部３１に固定されている。同様に、カバー部材１３の後側遮蔽壁部４２の上端部とその裏側の樹脂プレート５２とを貫通するようにカバー部材１３の外側からビス４６が締結されるとともに、そのビス４６の先端が支柱本体１２の後壁部３２まで達することにより、後側遮蔽壁部４２と樹脂プレート５２と後壁部３２との３者が互いに圧着され、これによって後側遮蔽壁部４２が後壁部３２に固定されている。なお、ビス４５，４６はそれぞれ請求項にいう「カバー用締結部材」に相当する。
【００４４】
図５に示すように、支柱本体１２の下端部がビス３５，３６により固定金具１１に締結された状態において、ビス３５，３６は、それぞれ支柱本体１２の前壁部３１および後壁部３２の各外側面に着座される頭部３５ａ，３６ａを有している。頭部３５ａは、前壁部３１から外側に（前側遮蔽壁部４１側に）突出する形状を有し、頭部３６ａは、後壁部３２から外側に（後側遮蔽壁部４２側に）突出する形状を有している。頭部３５ａ（３６ａ）の突出代（厚み）は、カバー部材１３が支柱本体１２に対し両者の軸心を一致させる状態で外挿されたときに前壁部３１と前側遮蔽壁部４１との間（後壁部３２と後側遮蔽壁部４２との間）に形成される隙間寸法とほぼ同一になるように設定されている。このような形状の頭部３５ａ，３６ａは、上述した樹脂プレート５１，５２と同様に、前壁部３１と前側遮蔽壁部４１との間の隙間寸法と、後壁部３２と後側遮蔽壁部４２との間の隙間寸法とを均等に維持するスペーサとして機能し、支柱本体１２に対するカバー部材１３の前後方向位置を安定化させる役割を果たす。
【００４５】
（３）作用効果
以上説明した第１実施形態にかかる支柱装置１によれば、支柱本体１２の前壁部３１（後壁部３２）の下端部が固定金具１１の縦壁部２２（２３）の外側面にビス３５（３６）を介して固定されるので、支柱本体１２の下端部の内側に固定金具１１を隠蔽しながら、支柱本体１２を固定金具１１に十分な強度で固定することができる。加えて、カバー部材１３の各壁部（前側遮蔽壁部４１、後側遮蔽壁部４２、左側遮蔽壁部４３、および右側遮蔽壁部４４）が、支柱本体１２の各壁部（前壁部３１、後壁部３２、左壁部３３、および右壁部３４）をその下端部を含む上下方向の所定範囲に亘って外側から覆うので、固定金具１１およびこれに固定される支柱本体１２の下端部が外部から視認されるのを防止でき、支柱装置１の意匠性を向上させることができる。
【００４６】
また、前壁部３１と前側遮蔽壁部４１との間にビス３５の頭部３５ａと樹脂プレート５１とが配置されるとともに、後壁部３２と後側遮蔽壁部４２との間にビス３６の頭部３６ａと樹脂プレート５２とが配置されるので、当該頭部３５ａ（３６ａ）および樹脂プレート５１（５２）が前壁部３１（後壁部３２）と前側遮蔽壁部４１（後側遮蔽壁部４２）との間の隙間寸法を一定に維持する役割を果たし、支柱本体１２に対するカバー部材１３の前後方向の位置ずれが防止される。さらに、左壁部３３と左側遮蔽壁部４３との間に樹脂プレート５３が配置されるとともに、右壁部３４と右側遮蔽壁部４４との間に樹脂プレート５４が配置されるので、当該樹脂プレート５３（５４）が左壁部３３（右壁部３４）と左側遮蔽壁部４３（右側遮蔽壁部４４）との間の隙間寸法を一定に維持する役割を果たし、支柱本体１２に対するカバー部材１３の左右方向の位置ずれが防止される。この結果、カバー部材１３は支柱本体１２に対し前後方向および左右方向のいずれにも位置ずれし難くなり、カバー部材１３と支柱本体１２との一体感が高められる。したがって、固定金具１１を隠蔽できる上記の効果と相俟って、支柱装置１およびこれを含むデッキ構造の商品性をより高めることができる。
【００４７】
また、上記第１実施形態では、固定金具１１の縦壁部２２，２３が、支柱本体１２の左壁部３３と右壁部３４との内面間距離とほぼ同一の幅寸法を有するように形成されているので、縦壁部２２，２３が支柱本体１２の内部に収容された状態において、支柱本体１２の左壁部３３および右壁部３４は、それぞれ縦壁部２２，２３の左右の側縁と当接または近接する位置に配置される。これにより、支柱本体１２が固定金具１１に対し左右方向に位置ずれし難くなるので、支柱本体１２の前壁部３１，３２を固定金具１１の縦壁部２２，２３に固定する際には、支柱本体１２と固定金具１１との位置関係を一定に維持したまま両者を容易に固定することができ、支柱本体１２の取付位置を安定化させることができる。
【００４８】
また、上記第１実施形態では、支柱本体１２の下端部を固定金具１１に固定するためのビス３５（３６）の頭部３５ａ（３６ａ）が、前壁部３１（後壁部３２）と前側遮蔽壁部４１（後側遮蔽壁部４２）との間の隙間寸法を一定に維持するスペーサとして兼用されているので、支柱本体１２に対するカバー部材１３の位置決めを少ない部品点数で図ることができ、支柱装置１のコストを削減することができる。
【００４９】
また、上記第１実施形態では、上記ビス３５，３６が締結される箇所よりも上側の位置（前壁部３１および後壁部３２の上端部）に樹脂プレート５１，５２が取り付けられるので、カバー部材１３が支柱本体１２に対し前後方向に位置ずれするのをより効果的に防止することができる。さらに、前側遮蔽壁部４１（後側遮蔽壁部４２）と樹脂プレート５１（５２）と前壁部３１（後壁部３２）とを互いに圧着するようにビス４５（４６）が締結され、このビス４５（４６）を介してカバー部材１３が支柱本体１２に固定されるので、前後および左右方向だけでなく上下方向にもカバー部材１３が位置ずれしなくなり、カバー部材１３と支柱本体１２との一体感をより高めることができる。
【００５０】
また、上記第１実施形態では、支柱本体１２とカバー部材１３との隙間を埋めるスペーサとして機能する部品群、つまり樹脂プレート５１，５２、樹脂プレート５３，５４、およびビス４５，４６の頭部３５ａ，３６ａが、支柱本体１２の上端部および下端部にのみ取り付けられるので、支柱本体１２にカバー部材１３を外挿する作業をスムーズに行うことができる。
【００５１】
＜第２実施形態＞
上記第１実施形態では、図５および図８に示したように、支柱本体１２の下端の開口部内に固定金具１１を収容し、この状態で支柱本体１２をビス３５，３６により固定金具１１に固定した（つまり固定金具１１の縦壁部２２，２３の外側面に支柱本体１２の前壁部３１および後壁部３２を固定した）が、固定金具１１に支柱本体１２を固定（締結）する態様はこれに限られず、種々の変更が可能である。その一例を図１０に示す第２実施形態として説明する。なお、図１０では、上記第１実施形態（図１〜図９）と同一の構成要素には同一の符号を付してその詳しい説明を省略する。
【００５２】
図１０に示すように、第２実施形態では、固定金具１１’の一対の縦壁部２２’，２３’の間に支柱本体１２の下端部が挿入され、この状態で支柱本体１２がビス３５，３６により固定金具１１’に固定される。すなわち、第２実施形態では、支柱本体１２における前壁部３１と後壁部３２との外面間距離が、固定金具１１’における一対の縦壁部２２’，２３’の内面間距離とほぼ同一に設定されている。このため、支柱本体１２の下端部を一対の縦壁部２２’，２３’の間に挿入した状態で、前壁部３１および後壁部３２の各下端部は、縦壁部２２’，２３’の内側面にそれぞれ当接または近接する位置に配置される。また、支柱本体１２の下端面が固定金具１１’のベース壁部２１’の上面に当接し、当該ベース壁部２１’により支柱本体１２が下から支持される。縦壁部２２’，２３’には図外の挿通孔が形成されており、当該挿通孔を通じてビス３５，３６が外側から前壁部３１および後壁部３２に螺着されることにより、前壁部３１および後壁部３２が縦壁部２２’，２３’の内側面に固定される。
【００５３】
上記のようにして固定金具１１’に下端部が固定された支柱本体１２に対し、カバー部材１３が上から外挿される。カバー部材１３は、その下端面が土台部２の上面に当接するまで垂下した位置において、ビス４５，４６により支柱本体１２に固定される。この状態において、カバー部材１３は、支柱本体１２の大部分と固定金具１１’とを外側から覆うように配置される。例えば、カバー部材１３の前側遮蔽壁部４１（後側遮蔽壁部４２）は、固定金具１１’の縦壁部２２’（２３’）とその上側に位置する支柱本体１２の前壁部３１（後壁部３２）とを上下方向の所定範囲に亘って外側から覆うように配置され、カバー部材１３の左側遮蔽壁部４３（右側遮蔽壁部４４）は、支柱本体１２の左壁部３３（右壁部３４）をその下端部を含む上下方向の所定範囲に亘って外側から覆うように配置される。
【００５４】
このように、第２実施形態では、支柱本体１２の外部に固定金具１１’の縦壁部２２’，２３’が露出する構造となっているが、当該縦壁部２２’，２３’はカバー部材１３により隠蔽され、外部から視認されることはない。このため、上述した第１実施形態と同様に、支柱装置１の意匠性を向上させることができる。
【００５５】
＜第３実施形態＞
上記第１および第２実施形態では、デッキ構造のフレーム材３を支持する支柱装置１に本発明を適用した例について説明したが、本発明は、フレーム材３以外の部材を支持する支柱装置にも適用することが可能である。その一例を図１１〜図１３に示す第３実施形態として説明する。なお、図１１〜図１３では、上記第１実施形態（図１〜図９）と同一の構成要素には同一の符号を付してその詳しい説明を省略する。
【００５６】
図１１は第３実施形態にかかるデッキ構造の全体構成を示している。本図に示すように、第３実施形態のデッキ構造は、第１実施形態に示したデッキ構造と異なり、床面の上に手すり装置１００を備えている。手すり装置１００は、パネル材４の敷設領域（床面）における屋外側の縁に沿って水平方向に延びるように設けられた手すり部材１０２と、手すり部材１０２を支持するためにパネル材４と手すり部材１０２との間に設けられた一対の支柱装置１０１と、手すり部材１０２の下方においてこれと平行に延びるように設けられ、各支柱装置１０１の下部どうしを連結する横桟１０３と、横桟１０３と手すり部材１０２とを上下方向に連結する複数の縦桟１０４とを備えている。この場合、手すり部材１０２は請求項にいう「上側部材」に相当し、パネル材４は請求項にいう「下側部材」に相当する。
【００５７】
支柱装置１０１の具体構造を図１２および図１３に示す。本図に示すように、支柱装置１０１は、図１〜図９に示した支柱装置１、つまりパネル材４（フレーム材３）を支持するための支柱装置１と概ね同じ構造を有している。すなわち、支柱装置１０１は、パネル材４の上面に固定される固定金具１１１（請求項にいう「固定具」に相当）と、固定金具１１１に下端部が固定される支柱本体１１２と、支柱本体１１２の外周を取り囲むカバー部材１１３とを備えている。
【００５８】
固定金具１１１は、パネル材４の上面に沿う板状のベース壁部１２１と、ベース壁部１２１の前辺部および後辺部から上方に立ち上がる前後一対の縦壁部１２２，１２３とを有している。ベース壁部１２１の４隅には取付片１２１ａが形成されており、各取付片１２１ａには、固定金具１１１をパネル材４に固定するためのビス１２５（図１３）が取り付けられる。支柱本体１１２は、取付片１２１ａの上面に止着されるビス１２５の頭部１２５ａの上に載置された状態で固定金具１１１に固定される。このように、ビス１２５の取付位置（取付片１２１ａ）がベース壁部１２１の中心から離れた最外周部に設定されることにより、支柱本体１１２の横ブレが起き難くされている。
【００５９】
支柱本体１１２は、前壁部１３１、後壁部１３２、左壁部１３３、および右壁部１３４を有しており、全体として断面矩形の中空パイプ状に形成されている。支柱本体１１２は、その前壁部１３１および後壁部１３２の下端部が固定金具１１１の縦壁部１２２，１２３の外側面にそれぞれビス１３５，１３６で締結されることにより、固定金具１１１に固定されている。ビス１３５は、前壁部１３１と前側遮蔽壁部１４１との間に配置される頭部１３５ａを有し、ビス１３６は、後壁部１３２と後側遮蔽壁部１４２との間に配置される頭部１３６ａを有している。なお、前壁部１３１および後壁部１３２はそれぞれ請求項にいう「第１壁部」に相当し、左壁部１３３および右壁部１３４はそれぞれ請求項にいう「第２壁部」に相当し、ビス１３５，１３６はそれぞれ請求項にいう「締結部材」に相当する。
【００６０】
カバー部材１１３は、前側遮蔽壁部１４１、後側遮蔽壁部１４２、左側遮蔽壁部１４３、および右側遮蔽壁部１４４を有しており、全体として、支柱本体１１２よりもひと回り大きい断面矩形の中空パイプ状に形成されている。カバー部材１１３が支柱本体１１２に外挿された状態において、前側遮蔽壁部１４１、後側遮蔽壁部１４２、左側遮蔽壁部１４３、および右側遮蔽壁部１４４は、それぞれ支柱本体１１２の前壁部１３１、後壁部１３２、左壁部１３３、および右壁部１３４を上下方向の全域に亘って外側から覆うように配置される。なお、前側遮蔽壁部１４１および後側遮蔽壁部１４２はそれぞれ請求項にいう「第１遮蔽壁部」に相当し、左側遮蔽壁部１４３および右側遮蔽壁部１４４はそれぞれ請求項にいう「第２遮蔽壁部」に相当する。
【００６１】
前壁部１３１と前側遮蔽壁部１４１との間には樹脂プレート１５１が配置され、後壁部１３２と後側遮蔽壁部１４２との間には樹脂プレート１５２が配置され、左壁部１３３と左側遮蔽壁部１４３との間には樹脂プレート１５３が配置され、右壁部１３４と右側遮蔽壁部１４４との間には樹脂プレート１５４が配置される。なお、樹脂プレート１５１，１５２はそれぞれ請求項にいう「第３スペーサ」に相当し、樹脂プレート１５３，１５４はそれぞれ請求項にいう「第２スペーサ」に相当する。
【００６２】
前壁部１３１の上端部には外側からビス１４５が締結され、このビス１４５により、前壁部１３１、樹脂プレート１５１、および前側遮蔽壁部１４１が互いに圧着固定されている。同様に、後壁部１３２の上端部には外側からビス１４６が締結され、このビス４６により、後壁部１３２、樹脂プレート１５２、および後側遮蔽壁部１４２が互いに圧着固定されている。なお、ビス１４５，１４６はそれぞれ請求項にいう「カバー用締結部材」に相当する。
【００６３】
以上のような第３実施形態の支柱装置１０１によれば、先の第１実施形態の支柱装置１と同様に、固定金具１１１が外部から視認されないので、支柱装置１０１の意匠性を向上させることができる。また、カバー部材１１３が支柱本体１１２に対し位置ずれするのを防止することができ、カバー部材１１３と支柱本体１１２との一体感を高めることができる。これにより、支柱装置１０１およびこれを含む手すり装置１００（さらにはデッキ構造）の商品性を高めることができる。
【００６４】
＜その他の変形例＞
上記第１実施形態では、カバー部材１３の前壁部３１および後壁部３２の下端部を固定金具１１の縦壁部２２，２３に固定するための締結部材として、比較的厚みのある頭部３５ａ，３６ａを有するビス３５，３６（いわゆる丸子ネジ）を用いたが、このようなビスに限らず種々のタイプの締結部材を用いることが可能である。例えば、頭部が被着面から突出しないタイプのビス（皿子ネジ）を用いることが考えられる。この場合、ビスの頭部はスペーサとして機能しなくなるので、前壁部３１および後壁部３２に専用のスペーサを追加することが望ましい。
【００６５】
また、前壁部３１（後壁部３２）を縦壁部２２（２３）に固定する手段はビス等の締結部材に限られず、例えば溶接により固定することも可能である。
【００６６】
また、上記第１実施形態では、支柱本体１２を固定するための固定金具１１を、その一対の縦壁部２２，２３が建物の側壁Ｗ（図１）と直交する方向に並ぶ姿勢で土台部２に固定したが、側壁Ｗと平行な方向に縦壁部２２，２３が並ぶ姿勢で固定金具１１を固定してもよい。この場合、支柱本体１２の前壁部３１および後壁部３２の位置、およびカバー部材１３の前側遮蔽壁部４１および後側遮蔽壁部４２の位置は、縦壁部２２，２３の位置に合わせて平面視で９０度ずらされることになる。
【００６７】
なお、以上のような変形が可能なことは、第２実施形態および第３実施形態でも同様である。
【符号の説明】
【００６８】
１  支柱装置
２  土台部（下側部材）
３  フレーム材（上側部材）
１１  固定金具（固定具）
１１’  固定金具（固定具）
１２  支柱本体
１３  カバー部材
２１  ベース壁部
２１’  ベース壁部
２２，２３  縦壁部
２２’，２３’  縦壁部
３１  前壁部（第１壁部）
３２  後壁部（第１壁部）
３３  左壁部（第２壁部）
３４  右壁部（第２壁部）
３５，３６  ビス（締結部材）
３５ａ，３６ａ  頭部
４１  前側遮蔽壁部（第１遮蔽壁部）
４２  後側遮蔽壁部（第１遮蔽壁部）
４３  左側遮蔽壁部（第２遮蔽壁部）
４４  右側遮蔽壁部（第２遮蔽壁部）
４５，４６  ビス（カバー用締結部材）
５１，５２  樹脂プレート（第３スペーサ）
５３，５４  樹脂プレート（第２スペーサ）
１０１  支柱装置
１０２  手すり部材（上側部材）
４  パネル材（下側部材）
１１１  固定金具（固定具）
１１２  支柱本体
１１３  カバー部材
１２１  ベース壁部
１２２，１２３  縦壁部
１３１  前壁部（第１壁部）
１３２  後壁部（第１壁部）
１３３  左壁部（第２壁部）
１３４  右壁部（第２壁部）
１３５，１３６  ビス（締結部材）
１３５ａ，１３６ａ  頭部
１４１  前側遮蔽壁部（第１遮蔽壁部）
１４２  後側遮蔽壁部（第１遮蔽壁部）
１４３  左側遮蔽壁部（第２遮蔽壁部）
１４４  右側遮蔽壁部（第２遮蔽壁部）
１４５，１４６  ビス（カバー用締結部材）
１５１，１５２  樹脂プレート（第３スペーサ）
１５３，１５４  樹脂プレート（第２スペーサ）
【図１】
2018031126.tif 000003
【図２】
2018031126.tif 000004
【図３】
2018031126.tif 000005
【図４】
2018031126.tif 000006
【図５】
2018031126.tif 000007
【図６】
2018031126.tif 000008
【図７】
2018031126.tif 000009
【図８】
2018031126.tif 000010
【図９】
2018031126.tif 000011
【図１０】
2018031126.tif 000012
【図１１】
2018031126.tif 000013
【図１２】
2018031126.tif 000014
【図１３】
2018031126.tif 000015